【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
ネットワークを介して操作端末により被操作端末を操作するリモート操作システムにおける情報送信方法であって、
前記被操作端末は、
所定の時間経過前のディスプレイに表示される描画データから変更のあった部分の画像データを取得し、
前記変更のあった部分の画像データを所定のサイズに分割した分割画像データを生成し、
前記分割画像データそれぞれの色数に応じて前記分割画像データそれぞれの圧縮方法を選択し、
前記選択した圧縮方法で前記分割画像データを圧縮した第一の圧縮画像データを生成し、
前記選択した圧縮方法と異なる圧縮方法で前記第一の圧縮画像データを圧縮した第二の圧縮画像データを生成し、
前記第一の圧縮画像データと第二の圧縮画像データとを比較し、データ量の少ない圧縮画像データを選択し、
選択された圧縮画像データを前記操作端末に送信し、
前記操作端末は、
送信された前記選択された圧縮画像データから前記分割画像データを復元し、
復元された前記分割画像データから描画データを生成し、
生成された前記描画データを前記操作端末のディスプレイに表示することを特徴とするリモート操作システムにおける情報送信方法。
【請求項２】
請求項１に記載のリモート操作システムにおける情報送信方法であって、
前記被操作端末は、
前記選択された圧縮画像データと共に、前記選択した圧縮方法を示す情報を前記操作端末に送信し、
前記操作端末は、
送信された前記選択した圧縮方法を示す情報に基づいて特定された圧縮方法に対応する復元方法で、送信された前記選択された圧縮画像データから前記分割画像データを復元することを特徴とするリモート操作システムにおける情報送信方法。
【請求項３】
請求項１または２に記載のリモート操作システムにおける情報送信方法であって、
前記被操作端末は、
前記選択された圧縮画像データと共に、前記分割画像データが前記ディスプレイに表示される場合の座標情報を前記操作端末に送信し、
前記操作端末は、
復元された前記分割画像データと前記座標情報とに基づき、描画データを生成する
ことを特徴とするリモート操作システムにおける情報送信方法。
【請求項４】
請求項１〜３のいずれか１項に記載のリモート操作システムにおける情報送信方法であって、
前記選択された圧縮画像データは、カラーパレットを有し、
前記操作端末は、
前記カラーパレットの色情報に基づいて、送信された前記選択された圧縮画像データから前記分割画像データを復元することを特徴とするリモート操作システムにおける情報送信方法。
【請求項５】
請求項１〜４のいずれか１項に記載のリモート操作システムにおける情報送信方法であって、
前記操作端末と前記被操作端末とはキャッシュを有し、
前記操作端末に送信する前記選択された圧縮画像データが前記被操作端末のキャッシュに存在した場合に、前記被操作端末は、
前記選択された圧縮画像データのインデックス情報を前記操作端末に送信することを特徴とするリモート操作システムにおける情報送信方法。
【請求項６】
請求項５に記載のリモート操作システムにおける情報送信方法であって、
前記インデックス情報を受信した前記操作端末は、
前記インデックス情報に対応する前記圧縮画像データを前記操作端末のキャッシュから取得し、
取得された前記圧縮画像データから前記分割画像データを復元することを特徴とするリモート操作システムにおける情報送信方法。
【請求項７】
ネットワークを介して操作端末により被操作端末を操作するリモート操作システムであって、
前記被操作端末は、
所定の時間経過前のディスプレイに表示される描画データから変更のあった部分の画像データを取得するディスプレイ画像情報取得部と、
前記変更のあった部分の画像データを所定のサイズに分割した分割画像データを生成する画像データ分割部と、
前記分割画像データそれぞれの色数に応じて前記分割画像データそれぞれの圧縮方法を選択し、前記選択した圧縮方法で前記分割画像データを圧縮した第一の圧縮画像データを生成する第一の画像圧縮部と、
前記選択した圧縮方法と異なる圧縮方法で前記第一の圧縮画像データを圧縮した第二の圧縮画像データを生成する第二の画像圧縮部と、
前記第一の圧縮画像データと第二の圧縮画像データとを比較し、データ量の少ない圧縮画像データを選択する選択部と、
前記選択された圧縮画像データを前記操作端末に送信する通信制御部と、を有し、
前記操作端末は、
送信された前記選択された圧縮画像データから前記分割画像データを復元する画像復元部と、
復元された前記分割画像データから描画データを生成するディスプレイ画像生成部と、
生成された前記描画データを前記操作端末のディスプレイに表示する表示制御部と、
を有する、ことを特徴とするリモート操作システム。
【請求項８】
請求項７に記載のリモート操作システムであって、
前記被操作端末の前記通信制御部は、前記選択された圧縮画像データと共に、前記選択した圧縮方法を示す情報を前記操作端末に送信し、
前記操作端末の前記画像復元部は、送信された前記選択した圧縮方法を示す情報に基づいて特定された圧縮方法に対応する復元方法で、送信された前記選択された圧縮画像データから前記分割画像データを復元することを特徴とするリモート操作システム。
【請求項９】
請求項７または８に記載のリモート操作システムであって、
前記被操作端末の通信制御部は、前記選択された圧縮画像データと共に、前記分割画像データが前記ディスプレイに表示される場合の座標情報を前記操作端末に送信し、
前記操作端末の前記ディスプレイ画像生成部は、復元された前記分割画像データと前記座標情報とに基づき、描画データを生成することを特徴とするリモート操作システム。
【請求項１０】
請求項７〜９のいずれか１項に記載のリモート操作システムであって、
前記選択された圧縮画像データは、カラーパレット有し、
前記操作端末の前記画像復元部は、前記カラーパレットの色情報に基づいて、送信された前記選択された圧縮画像データから前記分割画像データを復元することを特徴とするリモート操作システム。
【請求項１１】
請求項７〜１０のいずれか１項に記載のリモート操作システムであって、
前記操作端末と前記被操作端末とはキャッシュを有し、
前記画像圧縮部は、前記操作端末に送信する前記選択された圧縮画像データが前記被操作端末のキャッシュに存在するかどうか判定し、該判定により前記選択された圧縮画像データがキャッシュに存在した場合に、前記通信制御部が該選択された圧縮画像データのインデックス情報を前記操作端末に送信することを特徴とするリモート操作システム。
【請求項１２】
請求項１１に記載のリモート操作システムであって、
前記インデックス情報を受信した前記操作端末の前記画像復元部は、前記インデックス情報に対応する圧縮画像データを前記操作端末のキャッシュから取得し、取得された前記圧縮画像データから前記分割画像データを復元することを特徴とするリモート操作システム。
【請求項１３】
ネットワークを介して操作端末により被操作端末を操作するリモート操作システムにおける情報送信方法であって、
前記被操作端末は、
所定の時間経過前のディスプレイに表示される描画データから変更のあった部分の画像データを取得し、
前記変更のあった部分の画像データを所定のサイズに分割した分割画像データを生成し、
前記操作端末と前記被操作端末間の通信速度を計測し、前記計測した通信速度に応じて、圧縮方法を選択し、
前記選択した圧縮方法で前記分割画像データを圧縮した圧縮画像データを生成し、
前記圧縮画像データを前記操作端末に送信し、
前記操作端末は、
送信された前記圧縮画像データから前記分割画像データを復元し、
復元された前記分割画像データから描画データを生成し、
生成された前記描画データを前記操作端末のディスプレイに表示することを特徴とするリモート操作システムにおける情報送信方法。
【請求項１４】
請求項１３に記載のリモート操作システムにおける情報送信方法であって、
前記被操作端末は、
前記圧縮画像データと共に、前記選択した圧縮方法を示す情報を前記操作端末に送信し、
前記操作端末は、
送信された前記選択した圧縮方法を示す情報に基づいて特定された圧縮方法に対応する復元方法で、送信された前記圧縮画像データから前記分割画像データを復元することを特徴とするリモート操作システムにおける情報送信方法。
【請求項１５】
請求項１３または１４に記載のリモート操作システムにおける情報送信方法であって、
前記被操作端末は、
前記圧縮画像データと共に、前記分割画像データが前記ディスプレイに表示される場合の座標情報を前記操作端末に送信し、
前記操作端末は、
復元された前記分割画像データと前記座標情報とに基づき、描画データを生成する
ことを特徴とするリモート操作システムにおける情報送信方法。
【請求項１６】
請求項１３〜１５のいずれか１項に記載のリモート操作システムにおける情報送信方法であって、
前記圧縮画像データは、カラーパレットを有し、
前記操作端末は、
前記カラーパレットの色情報に基づいて、送信された前記圧縮画像データから前記分割画像データを復元することを特徴とするリモート操作システムにおける情報送信方法。
【請求項１７】
請求項１３〜１６のいずれか１項に記載のリモート操作システムにおける情報送信方法であって、
前記操作端末と前記被操作端末とはキャッシュを有し、
前記操作端末に送信する前記圧縮画像データが前記被操作端末のキャッシュに存在した場合に、前記被操作端末は、
前記圧縮画像データのインデックス情報を前記操作端末に送信することを特徴とするリモート操作システムにおける情報送信方法。
【請求項１８】
請求項１７に記載のリモート操作システムにおける情報送信方法であって、
前記インデックス情報を受信した前記操作端末は、
前記インデックス情報に対応する前記圧縮画像データを前記操作端末のキャッシュから取得し、
取得された前記圧縮画像データから前記分割画像データを復元することを特徴とするリモート操作システムにおける情報送信方法。